(57)【特許請求の範囲】
【請求項１】
端末装置と接続する移動局と、前記移動局と無線通信を行う複数の基地局と、前記端末装置宛のデータを前記基地局へ送信する転送装置とを備える移動通信システムにおける前記基地局であって、
自局と無線通信可能な移動局の情報、および端末装置と移動局との接続関係の情報を記憶する記憶部と、
前記転送装置から受信したデータの宛先の端末装置を確認し、前記記憶部で記憶されている情報を参照して、前記宛先の端末装置が接続している移動局が自局と無線通信可能な移動局の場合、前記受信したデータを自局の通信エリアへ送信する制御部と、
を備えることを特徴とする基地局。
【請求項２】
前記制御部は、前記宛先の端末装置が接続している移動局が自局と無線通信不可の移動局の場合、前記受信したデータの種別を確認し、前記受信したデータが規定された種別のデータのときは、前記受信したデータを自局の通信エリアへ送信する、
ことを特徴とする請求項１に記載の基地局。
【請求項３】
前記制御部は、前記宛先の端末装置が接続している移動局が自局と無線通信不可の移動局の場合、前記受信したデータの種別を確認し、前記受信したデータが規定された種別のデータのときは、さらに、前記受信したデータのヘッダを確認し、前記ヘッダにおいて規定された領域の値が規定された値のときは、前記受信したデータを自局の通信エリアへ送信する、
ことを特徴とする請求項１に記載の基地局。
【発明の詳細な説明】
【技術分野】
【０００１】
本発明は、予め定められた経路を移動する移動局と通信を行う基地局および転送装置に関する。
【背景技術】
【０００２】
従来、予め定められた経路を移動する移動局が、移動する経路に沿って複数配置されている基地局間でハンドオーバを行って通信を行う移動通信システムがある。移動局がハンドオーバを行う際のパケットロスを抑圧するため、パケット送信元の装置が、移動局がハンドオーバを行う前からハンドオーバ元の基地局およびハンドオーバ先の基地局へパケットをバイキャストで送信する技術が検討されている。【０００３】
例えば、特許文献１では、ホームエージェントが、移動端末が現在接続しているアクセスルータおよびハンドオーバ先のアクセスルータへ移動端末宛てのパケットを転送する同報送信の技術が開示されている。また、特許文献２では、無線ネットワーク制御装置が、移動局がハンドオーバを行う間、現在の在圏セルおよびハンドオーバ対象セルを通して移動局へ無線リソース制御メッセージをバイキャストで送信する技術が開示されている。
【先行技術文献】
【特許文献】
【０００４】
【特許文献１】特許第４３９７３９７号公報
【特許文献２】特許第５００１２７７号公報
【発明の概要】
【発明が解決しようとする課題】
【０００５】
しかしながら、上記従来の技術によれば、基地局経由で移動局へパケットを送信する装置が、移動局が接続する前のハンドオーバ先の基地局へパケットを送信した場合、ハンドオーバ先の基地局は、セル内にパケットを送信してしまう。そのため、ハンドオーバ先の基地局では無線帯域が圧迫されシステムスループットが低下する、という問題があった。【０００６】
本発明は、上記に鑑みてなされたものであって、移動局がハンドオーバを行う際のユーザデータのロスを抑えつつ、システムスループットの低下を軽減可能な基地局を得ることを目的とする。
【課題を解決するための手段】
【０００７】
上述した課題を解決し、目的を達成するために、本発明は、端末装置と接続する移動局と、移動局と無線通信を行う複数の基地局と、端末装置宛のデータを基地局へ送信する転送装置とを備える移動通信システムにおける基地局である。基地局は、自局と無線通信可能な移動局の情報、および端末装置と移動局との接続関係の情報を記憶する記憶部を備える。また、基地局は、転送装置から受信したデータの宛先の端末装置を確認し、記憶部で記憶されている情報を参照して、宛先の端末装置が接続している移動局が自局と無線通信可能な移動局の場合、受信したデータを自局の通信エリアへ送信する制御部を備えること特徴とする。
【発明の効果】
【０００８】
本発明にかかる基地局は、移動局がハンドオーバを行う際のユーザデータのロスを抑えつつ、システムスループットの低下を軽減できる、という効果を奏する。
【図面の簡単な説明】
【０００９】
【図１】実施の形態１にかかる移動通信システムの構成例を示す図
【図２】実施の形態１にかかる転送装置の構成例を示すブロック図
【図３】実施の形態１にかかる転送装置の記憶部が記憶するユーザ端末と移動局の接続関係の情報の例を示す図
【図４】実施の形態１にかかる転送装置の記憶部が記憶する接続基地局と次接続基地局との関係の情報の例を示す図
【図５】実施の形態１にかかる転送装置の記憶部が記憶する接続基地局と移動局との関係の情報の例を示す図
【図６】実施の形態１にかかる基地局の構成例を示すブロック図
【図７】実施の形態１にかかるサーバからユーザ端末へユーザデータを送信する場合の移動通信システムの各装置の動作を示すシーケンス図
【図８】実施の形態１にかかる基地局が送信する報知情報のメッセージフォーマットの例を示す図
【図９】実施の形態１にかかる移動局が送信する位置登録要求および基地局が送信する接続通知のメッセージフォーマットの例を示す図
【図１０】実施の形態１にかかる基地局が送信する位置登録応答のメッセージフォーマットの例を示す図
【図１１】実施の形態１にかかるサーバが送信するユーザデータの構成例を示す図
【図１２】実施の形態１にかかる転送装置のユーザデータの送信処理を示すフローチャート
【図１３】実施の形態１にかかる転送装置のユーザデータの送信処理を示すフローチャート
【図１４】実施の形態１にかかる基地局の制御部を実現する処理回路の構成例を示す図
【図１５】実施の形態２にかかるサーバが送信するユーザデータの構成例を示す図
【図１６】実施の形態２にかかるサーバからユーザ端末へ音声のユーザデータを送信する場合の移動通信システムの各装置の動作を示すシーケンス図
【図１７】実施の形態２にかかる転送装置のユーザデータの送信処理を示すフローチャート
【図１８】実施の形態３にかかるサーバが送信するユーザデータに付与されるＩＰｖ６のＩＰヘッダのフォーマットの例を示す図
【図１９】実施の形態３にかかるユーザデータに付与されるＩＰｖ６のＩＰヘッダのＴｒａｆｆｉｃ  Ｃｌａｓｓの詳細なフォーマットの例を示す図
【図２０】実施の形態３にかかる転送装置のユーザデータの送信処理を示すフローチャート
【発明を実施するための形態】
【００１０】
以下に、本発明の実施の形態にかかる基地局および転送装置を図面に基づいて詳細に説明する。なお、この実施の形態によりこの発明が限定されるものではない。
【００１１】
実施の形態１．
図１は、本発明の実施の形態１にかかる移動通信システム１の構成例を示す図である。ここでは、移動局１１０が地上側の複数の基地局１０３〜１０５をハンドオーバしながら無線通信を行う列車通信システムを想定している。移動局１１０は、決められた移動経路を移動する移動体である列車１０９に搭載されている。
【００１２】
移動通信システム１は、地上側に、サーバ１００と、転送装置１０１と、ネットワーク１０２と、ＬＣＸ（Leaky  CoaXial  cable）１０６を用いて無線通信を行う基地局１０３と、ＬＣＸ１０７を用いて無線通信を行う基地局１０４と、ＬＣＸ１０８を用いて無線通信を行う基地局１０５と、を備える。
【００１３】
サーバ１００は、例えば、指令局などに設置され、列車１０９に搭載されたユーザ端末１１２との間でデータであるユーザデータの送受信を行う。サーバ１００は、例えば、光ケーブルなどによって転送装置１０１と接続されている。ここでは、一例として、サーバ１００と転送装置１０１との間を光通信で行う場合を想定しているが、無線通信などを用いてもよい。ユーザデータの構成については後述する。
【００１４】
転送装置１０１は、サーバ１００から受信したユーザ端末１１２宛のユーザデータをネットワーク１０２経由で基地局１０３〜１０５のいずれかの基地局へ転送し、基地局１０３〜１０５からネットワーク１０２経由で受信したユーザデータをサーバ１００へ転送する。転送装置１０１の詳細な構成については後述する。
【００１５】
ネットワーク１０２は、地上側に設置された転送装置１０１および基地局１０３〜１０５の間の通信において使用されるネットワークである。ネットワーク１０２として、例えば、ＩＰ（Internet  Protocol）ネットワークを用いることができるが、これに限定されるものでない。
【００１６】
基地局１０３〜１０５は、ＬＣＸ通信システムで使用される無線基地局である。なお、図１に示す移動通信システム１では、地上側と列車１０９との間の通信にＬＣＸ通信システムを使用しているが、一例であり、ミリ波通信システムなどを使用してもよい。基地局１０３〜１０５の詳細な構成については後述する。
【００１７】
移動通信システム１における移動体の列車１０９は、移動局１１０と、転送装置１１１と、ユーザ端末１１２と、を備える。移動局１１０は、転送装置１１１を介して端末装置であるユーザ端末１１２と接続する。
【００１８】
移動局１１０は、ＬＣＸ通信システムで使用される無線移動局である。
【００１９】
転送装置１１１は、ユーザ端末１１２から受信したユーザデータを移動局１１０へ転送し、移動局１１０から受信したユーザデータをユーザ端末１１２へ転送する。
【００２０】
ユーザ端末１１２は、地上側のサーバ１００との間でユーザデータの送受信を行う。
【００２１】
移動通信システム１において、例えば、サーバ１００からユーザ端末１１２へユーザデータを送信する場合、サーバ１００は、転送装置１０１、ネットワーク１０２、基地局１０３〜１０５のいずれかの基地局、移動局１１０、および転送装置１１１を介して、ユーザ端末１１２へユーザデータを送信する。ユーザ端末１１２からサーバ１００へユーザデータを送信する場合は、前述の流れと反対の流れになる。移動通信システム１では、基地局１０３〜１０５と移動局１１０との間が、ＬＣＸ通信システムによる無線通信の区間となる。
【００２２】
つぎに、転送装置１０１の構成について説明する。図２は、実施の形態１にかかる転送装置１０１の構成例を示すブロック図である。転送装置１０１は、制御部１１と、記憶部１２と、光通信部１３と、ネットワーク通信部１４と、を備える。
【００２３】
光通信部１３は、ＯＳＩ（Open  Systems  Interconnection）参照モデルにおいて光通信を行う場合の物理層およびデータリンク層の機能を有する。光通信部１３は、サーバ１００から受信したユーザデータを光信号から電気信号に変換および復調し、復調したユーザデータからＭＡＣ（Media  Access  Control）ヘッダなどを取り除き、ユーザデータを制御部１１へ受け渡す。また、光通信部１３は、制御部１１から受け取ったユーザデータにＭＡＣヘッダなどを付加してフレーム化し、ユーザデータを変調および電気信号から光信号に変換してサーバ１００へ送信する。光通信部１３は、例えば、光通信用のインタフェースカードおよびドライバ回路によって構成される。
【００２４】
ネットワーク通信部１４は、ＯＳＩ参照モデルにおいてＩＰネットワークなどのネットワーク１０２で通信を行う場合の物理層およびデータリンク層の機能を有する。ネットワーク通信部１４は、列車１０９から送信されていずれかの基地局１０３〜１０５およびネットワーク１０２経由で受信したユーザデータを復調し、復調したユーザデータからＭＡＣヘッダなどを取り除き、ユーザデータを制御部１１へ受け渡す。また、ネットワーク通信部１４は、制御部１１から受け取ったユーザデータにＭＡＣヘッダなどを付加してフレーム化し、ユーザデータを変調してネットワーク１０２経由でいずれかの基地局１０３〜１０５へ送信する。ネットワーク通信部１４は、例えば、ＩＰネットワークによる通信用のインタフェースカードおよびドライバ回路によって構成される。
【００２５】
制御部１１は、ＯＳＩ参照モデルにおいてネットワーク層以上の機能を有する。制御部１１は、ネットワーク通信部１４から受け取ったユーザデータを光通信部１３へ受け渡す。また、制御部１１は、光通信部１３から受け取ったユーザデータをネットワーク通信部１４へ受け渡す。制御部１１は、具体的に、ユーザ端末１１２からのユーザデータをサーバ１００へ送信する制御を行い、サーバ１００からのユーザデータをいずれかの基地局１０３〜１０５を経由してユーザ端末１１２へ送信する制御を行う。また、制御部１１は、いずれかの基地局１０３〜１０５から受信した接続通知に基づいて、移動局１１０が現在接続している基地局の情報を記憶部１２に記憶させる。制御部１１は、記憶部１２が記憶している情報を参照してサーバ１００から受信したユーザデータを送信する基地局を決定し、ユーザデータを決定した基地局へ送信する。制御部１１は、ネットワーク層以上の機能、例えば、ＵＤＰ（User  Datagram  Protocol）／ＩＰのプロトコルをソフトウェアで実行する処理回路によって構成される。接続通知のメッセージの内容については後述する。
【００２６】
記憶部１２は、ユーザ端末がどの移動局と接続しているかの情報を記憶している。図３は、実施の形態１にかかる転送装置１０１の記憶部１２が記憶するユーザ端末と移動局の接続関係の情報の例を示す図である。図３では、一例として、情報２００において、ユーザ端末１１２は移動局１１０と接続していることを示している。なお、図１に示す移動通信システム１では列車の数を１つとしているが、一例であり、複数の列車を対象に通信を行うことが可能である。記憶部１２は、予め図３に示す情報、つまりユーザ端末がどの移動局と接続しているかの情報を記憶している。
【００２７】
また、記憶部１２は、移動局１１０が現在接続している基地局を検索キーとして次に接続する基地局を確認できる情報を記憶している。図４は、実施の形態１にかかる転送装置１０１の記憶部１２が記憶する接続基地局と次接続基地局との関係の情報の例を示す図である。接続基地局は移動局が現在接続している基地局を示し、次接続基地局は移動局が移動することによって次に接続することになる基地局を示す。移動局１１０が現在無線通信を行っている基地局と移動局１１０が次に無線通信を行うことになる基地局との関係の情報である。図４では、一例として、情報３００において、移動局１１０が現在基地局１０３と接続している場合、移動局１１０が移動して次に接続する基地局は基地局１０４であることを示している。なお、記憶部１２は、路線別および進行方向別に図４に示す情報を記憶しているものとする。記憶部１２は、例えば、図４に示す情報がある路線の上り方向の情報であった場合、同じ路線の下り方向について、接続基地局が基地局１０４で次接続基地局が基地局１０３となる情報を記憶している。記憶部１２は、予め図４に示す情報を記憶している。図３および図４に示す情報については、移動通信システム１の担当者が転送装置１０１に設定してもよいし、移動通信システム１の担当者がサーバ１００に設定して、サーバ１００から転送装置１０１へ配信してもよい。
【００２８】
また、記憶部１２は、制御部１１が受信した接続通知に基づく接続基地局１０３と移動局１１０との関係の情報を記憶している。図５は、実施の形態１にかかる転送装置１０１の記憶部１２が記憶する接続基地局と移動局との関係の情報の例を示す図である。図５では、一例として、情報４００において、基地局１０３に移動局１１０が接続していること、すなわち、基地局１０３が移動局１１０と無線通信可能であることを示している。図５に示す情報は、制御部１１がいずれかの基地局から接続通知を受信するたびに更新される情報である。記憶部１２は、例えば、メモリによって構成される。
【００２９】
つぎに、基地局１０３〜１０５の構成について説明する。なお、基地局１０３〜１０５は同一の構成のため、ここでは、基地局１０３を例にして説明する。図６は、実施の形態１にかかる基地局１０３の構成例を示すブロック図である。基地局１０３は、制御部３１と、記憶部３２と、ＬＣＸ通信部３３と、ネットワーク通信部３４と、を備える。
【００３０】
ＬＣＸ通信部３３は、ＯＳＩ参照モデルにおいてＬＣＸ通信を行う場合の物理層およびデータリンク層の機能を有する。ＬＣＸ通信部３３は、ＬＣＸ１０６で受信した移動局１１０からのユーザデータを復調し、復調したユーザデータからＭＡＣヘッダなどを取り除き、ユーザデータを制御部３１へ受け渡す。また、ＬＣＸ通信部３３は、制御部３１から受け取ったユーザデータにＭＡＣヘッダなどを付加してフレーム化し、ユーザデータを変調してＬＣＸ１０６から移動局１１０へ送信する。ＬＣＸ通信部３３は、例えば、ＬＣＸ通信用のインタフェースカードおよびドライバ回路によって構成される。
【００３１】
ネットワーク通信部３４は、ＯＳＩ参照モデルにおいてＩＰネットワークなどのネットワーク１０２で通信を行う場合の物理層およびデータリンク層の機能を有する。ネットワーク通信部３４は、サーバ１００から送信されて転送装置１０１およびネットワーク１０２経由で受信したユーザデータを復調し、復調したユーザデータからＭＡＣヘッダなどを取り除き、ユーザデータを制御部３１へ受け渡す。また、ネットワーク通信部３４は、制御部３１から受け取ったユーザデータにＭＡＣヘッダなどを付加してフレーム化し、ユーザデータを変調してネットワーク１０２および転送装置１０１経由でサーバ１００へ送信する。ネットワーク通信部３４は、例えば、ＩＰネットワークによる通信用のインタフェースカードおよびドライバ回路によって構成される。
【００３２】
制御部３１は、ＯＳＩ参照モデルにおいてネットワーク層以上の機能を有する。制御部３１は、ネットワーク通信部３４から受け取ったユーザデータをＬＣＸ通信部３３へ受け渡し、ＬＣＸ通信部３３から受け取ったユーザデータをネットワーク通信部３４へ受け渡す。制御部３１は、移動局１１０から位置登録要求を受信した場合、通信経路確立後に転送装置１０１へ接続通知を送信し、位置登録応答を移動局１１０へ送信する制御を行う。制御部３１は、移動局１１０から受信した位置登録要求に基づいて、自局と接続している、すなわち自局と無線通信可能な移動局１１０の情報を記憶部３２に記憶させる。具体的に、制御部３１は、転送装置１０１からユーザデータを受信すると、受信したユーザデータの宛先のユーザ端末１１２を確認し、また、記憶部３２が記憶している後述する情報を参照する。そして、制御部３１は、宛先のユーザ端末１１２が接続している移動局１１０が自局と無線通信可能な移動局の場合、受信したデータをＬＣＸ通信部３３およびＬＣＸ１０６経由で自局の通信エリアへ送信する。制御部３１は、ネットワーク層以上の機能、例えば、ＵＤＰ／ＩＰのプロトコルをソフトウェアで実行する処理回路によって構成される。位置登録要求のメッセージ内容については後述する。
【００３３】
記憶部３２は、制御部３１が受信した位置登録要求に基づいて自局に接続している、すなわち自局と無線通信可能な移動局１１０の情報を記憶している。また、記憶部３２は、予め転送装置１０１が記憶している図３に示すユーザ端末と移動局の接続関係の情報と同様の情報を記憶している。図３に示す情報については、移動通信システム１の担当者が基地局１０３に設定してもよいし、転送装置１０１から基地局１０３へ配信してもよい。記憶部３２は、例えば、メモリによって構成される。
【００３４】
なお、サーバ１００、移動局１１０、転送装置１１１、およびユーザ端末１１２については、列車通信システムにおいて一般的な構成のため、詳細な構成の説明については省略する。
【００３５】
つづいて、サーバ１００からデータ端末１１２へユーザデータを送信する場合に、転送装置１０１経由でサーバ１００からユーザデータを受信した基地局１０３〜１０５が、移動局１１０へユーザデータを送信する動作について説明する。ここでは、具体的に、移動局１１０が基地局１０３の通信エリアに存在している状態でサーバ１００とユーザ端末１１２が通信を行い、その後、移動局１１０が移動して基地局１０４の通信エリアに移動した場合の、基地局１０３および基地局１０４の動作について説明する。図７は、実施の形態１にかかるサーバ１００からユーザ端末１１２へユーザデータを送信する場合の移動通信システム１の各装置の動作を示すシーケンス図である。ここでは、移動局１１０が基地局１０３の通信エリアで起動して動作を開始する場合を想定する。
【００３６】
まず、基地局１０３の制御部３１は、自局の通信エリアに向けた報知情報を生成し、ＬＣＸ通信部３３およびＬＣＸ１０６を介して自局の通信エリアに報知情報を送信する（ステップＳ１０１）。なお、図７では省略しているが、基地局１０３は周期的に報知情報を送信しているものとする。
【００３７】
図８は、実施の形態１にかかる基地局１０３が送信する報知情報のメッセージフォーマットの例を示す図である。報知情報は、メッセージ種別５００および報知情報基地局ＩＤ（IDentification）５０１の情報を含む。メッセージ種別５００にはメッセージ種別が報知情報であることを示す値が設定される。報知情報基地局ＩＤ５０１には報知情報を送信する基地局のＩＤ、ここでは基地局１０３を示すＩＤが設定される。ＩＤは各装置を識別する情報であり、一例として図１において各装置に付与されている符号を用いることとする。報知情報には、基地局の運用情報などが設定されることがあるが、ここでは省略する。
【００３８】
基地局１０３の通信エリアで報知情報を受信した移動局１１０は、報知情報内の報知送信基地局ＩＤ５０１の値から基地局１０３に接続できることを把握する。これにより、移動局１１０は、自局の位置の登録を要求するための位置登録要求を基地局１０３へ送信する（ステップＳ１０２）。
【００３９】
基地局１０３において、ＬＣＸ１０６およびＬＣＸ通信部３３経由で位置登録要求を受信した制御部３１は、位置登録要求に含まれる自局に接続した移動局１１０、すなわち自局と無線通信可能な移動局１１０の情報を記憶部３２に記憶させる。そして、制御部３１は、移動局１１０と自局との間で通信経路を確立する（ステップＳ１０３）。通信経路確立後、制御部３１は、ネットワーク通信部３４およびネットワーク１０２経由で、転送装置１０１に対して、移動局１１０が自局に接続されたことを通知するための接続通知を送信する（ステップＳ１０４）。
【００４０】
図９は、実施の形態１にかかる移動局１１０が送信する位置登録要求および基地局１０３が送信する接続通知のメッセージフォーマットの例を示す図である。位置登録要求および接続通知は、メッセージ種別６００、接続基地局ＩＤ６０１、および接続移動局ＩＤ６０２の情報を含む。メッセージ種別６００にはメッセージ種別が位置登録要求または接続通知であることを示す値が設定される。接続基地局ＩＤ６０１には移動局１１０が接続した基地局のＩＤ、ここでは報知情報に含まれる報知送信基地局ＩＤ５０１の情報から基地局１０３を示すＩＤが設定される。接続移動局ＩＤ６０２には基地局１０３に接続した移動局のＩＤ、ここでは移動局１１０を示すＩＤが設定される。位置登録要求および接続通知には、前述の情報以外の情報などが設定されることがあるが、ここでは省略する。
【００４１】
転送装置１０１において、ネットワーク１０２およびネットワーク通信部１４経由で接続通知を受信した制御部１１は、移動局１１０が基地局１０３に接続したことを把握する。制御部１１は、図５に示す接続基地局と移動局との関係の情報として、接続基地局１０３および移動局１１０の情報４００を記憶部１２に記憶させる。
【００４２】
基地局１０３の制御部３１は、転送装置１０１へ接続通知送信後、位置登録要求に対する位置登録の結果を示す位置登録応答を生成し、生成した位置登録応答をＬＣＸ通信部３３およびＬＣＸ１０６経由で移動局１１０へ送信する（ステップＳ１０５）。
【００４３】
図１０は、実施の形態１にかかる基地局１０３が送信する位置登録応答のメッセージフォーマットの例を示す図である。位置登録応答は、メッセージ種別７００、位置登録結果７０１、接続基地局ＩＤ７０２、および接続移動局ＩＤ７０３の情報を含む。メッセージ種別７００にはメッセージ種別が位置登録応答であることを示す値が設定される。位置登録結果７０１には位置登録の結果、ここでは、位置登録が受け入れられたことを示す値が設定される。接続基地局ＩＤ７０２には、位置登録を受け付けた基地局のＩＤ、ここでは基地局１０３を示すＩＤが設定される。接続移動局ＩＤ７０３には、位置登録要求を送信した移動局のＩＤ、ここでは移動局１１０を示すＩＤが設定される。位置登録応答には、前述の情報以外の情報などが設定されることがあるが、ここでは省略する。
【００４４】
これにより、位置登録応答を受信した移動局１１０は、位置登録が成功したことを把握する。
【００４５】
サーバ１００は、ユーザデータに宛先をユーザ端末１１２とする宛先情報を含むヘッダを付与して、ユーザデータを転送装置１０１へ送信する（ステップＳ１０６）。図１１は、実施の形態１にかかるサーバ１００が送信するユーザデータの構成例を示す図である。サーバ１００が送信するユーザデータは、ＩＰヘッダ８００、ＵＤＰヘッダ８０１、およびアプリケーションデータ８０２を含む。ユーザ端末１１２が利用するデータ部分のアプリケーションデータ８０２にＵＤＰヘッダ８０１が付与され、さらにＩＰヘッダ８００が付与されている。ＵＤＰ／ＩＰにおいて一般的に使用されているフォーマットであり、ＩＰヘッダ８００にユーザデータの宛先の情報が含まれる。なお、図１１はＵＤＰ／ＩＰの一般的なフォーマットを示したが、一例であり、サーバ１００は、ＴＣＰ（Transmission  Control  Protocol）／ＩＰのフォーマットのユーザデータを送信してもよい。
【００４６】
転送装置１０１の制御部１１は、光通信部１３経由でサーバ１００からユーザデータを受信すると、ユーザデータに付与されたヘッダの宛先情報から宛先はユーザ端末１１２宛と確認する。つぎに、制御部１１は、記憶部１２が記憶する図３に示す情報２００から、ユーザ端末１１２が接続しているのは移動局１１０であると確認する。また、制御部１１は、記憶部１２が記憶する図５に示す情報４００から、移動局１１０が現在接続しているのは基地局１０３であると確認する。また、制御部１１は、記憶部１２が記憶する図４に示す情報３００から、移動局１１０が基地局１０３の次に接続するのは基地局１０４であると確認する。そのため、制御部１１は、ユーザデータをユーザ端末１１２が接続している移動局１１０と現在無線通信を行っている基地局１０３、および移動局１１０が次に無線通信を行うことになる基地局１０４へ送信することを決定する。
【００４７】
転送装置１０１の制御部１１は、サーバ１００から受信したユーザデータを、ネットワーク通信部１４およびネットワーク１０２経由で、移動局１１０が現在接続している基地局１０３へ送信する（ステップＳ１０７）。また、転送装置１０１の制御部１１は、サーバ１００から受信したユーザデータを複製し、複製したユーザデータを、ネットワーク通信部１４およびネットワーク１０２経由で、移動局１１０が移動することによって次に接続する基地局１０４へ送信する（ステップＳ１０８）。このように、転送装置１０１は、ユーザデータを基地局１０３，１０４へバイキャスト送信する。なお、転送装置１０１の制御部１１は、基地局１０３，１０４へユーザデータを送信する場合、ＩＰトンネルを用いて基地局１０３，１０４へユーザデータを送信してもよい。
【００４８】
上記の転送装置１０１の動作を、フローチャートを用いて説明する。図１２は、実施の形態１にかかる転送装置１０１のユーザデータの送信処理を示すフローチャートである。転送装置１０１の制御部１１は、光通信部１３経由で、サーバ１００からユーザデータを受信すると（ステップＳ１）、受信したユーザデータの宛先のユーザ端末を確認する（ステップＳ２）。つぎに、制御部１１は、記憶部１２を参照して、ユーザ端末が接続している移動局を確認し（ステップＳ３）、移動局が現在接続している基地局を確認し（ステップＳ４）、移動局が次に接続する基地局を確認する（ステップＳ５）。そして、制御部１１は、ユーザデータを移動局が現在接続している基地局へ送信し（ステップＳ６）、ユーザデータを移動局が次に接続する基地局へ送信する（ステップＳ７）。このように、転送装置１０１の制御部１１は、ユーザデータの宛先のユーザ端末１１２が接続している移動局１１０と現在無線通信を行っている基地局１０３、および移動局１１０が次に無線通信を行うことになる基地局１０４へユーザデータを送信することを決定し、ユーザデータを基地局１０３，１０４へ送信する。
【００４９】
図７のシーケンス図の説明に戻る。基地局１０３の制御部３１は、ネットワーク１０２およびネットワーク通信部３４経由で転送装置１０１からユーザデータを受信すると、ユーザデータに付与されたヘッダの宛先情報からユーザデータの宛先はユーザ端末１１２と確認する。基地局１０３の制御部３１は、ユーザデータの宛先のユーザ端末１１２に接続している移動局１１０が、自局に接続している移動局か否かを確認する。ここで、基地局１０３の制御部３１は、記憶部３２が記憶している図３に示すユーザ端末と移動局の接続関係の情報を参照し、ユーザ端末１１２は移動局１１０と接続していることを確認する。また、基地局１０３の制御部３１は、ステップＳ１０１〜Ｓ１０２の処理において、自局に移動局１１０が接続している情報を記憶部３２に記憶させている。基地局１０３の制御部３１は、ユーザデータの宛先のユーザ端末１１２に接続している移動局１１０が自局に接続している移動局１１０であると確認すると、ユーザデータをＬＣＸ通信部３３およびＬＣＸ１０６経由で自局の通信エリア、すなわち移動局１１０へ送信する（ステップＳ１０９）。
【００５０】
基地局１０４の制御部３１は、ネットワーク１０２およびネットワーク通信部３４経由で転送装置１０１からユーザデータを受信すると、ユーザデータに付与されたヘッダの宛先情報から、宛先はユーザ端末１１２と確認する。基地局１０４の制御部３１は、ユーザデータの宛先のユーザ端末１１２に接続している移動局１１０が、自局に接続している移動局か否かを確認する。ここで、基地局１０４の制御部３１は、記憶部３２が記憶している図３に示すユーザ端末と移動局の接続関係の情報を参照し、ユーザ端末１１２は移動局１１０と接続していることを確認する。また、基地局１０４の制御部３１は、自局に移動局が接続している情報を記憶部３２に記憶させていない。基地局１０４の制御部３１は、ユーザデータの宛先のユーザ端末１１２に接続している移動局１１０は自局に接続していないと確認すると、ユーザデータを送信せずに破棄する（ステップＳ１１０）。
【００５１】
基地局１０３からユーザデータを受信した移動局１１０は、受信したユーザデータを、転送装置１１１経由でユーザ端末１１２へ送信する（ステップＳ１１１）。
【００５２】
その後、移動局１１０が基地局１０４の方向へ移動する（ステップＳ１１２）。
【００５３】
基地局１０４の制御部３１は、自局の通信エリアに向けた報知情報を生成し、ＬＣＸ通信部３３およびＬＣＸ１０７を介して自局の通信エリアに報知情報を送信する（ステップＳ１１３）。報知情報のメッセージフォーマットは前述の図８と同様であるが、報知送信基地局ＩＤ５０１には報知情報を送信する基地局のＩＤ、ここでは基地局１０４を示すＩＤが設定される。なお、図７では省略しているが、基地局１０３と同様、基地局１０４は周期的に報知情報を送信しているものとする。
【００５４】
基地局１０４の通信エリアに入って報知情報を受信した移動局１１０は、報知情報内の報知送信基地局ＩＤ５０１の値から基地局１０４に接続できることを把握する。これにより、移動局１１０は、自局の位置の登録を要求するための位置登録要求を基地局１０４へ送信する（ステップＳ１１４）。位置登録要求のメッセージフォーマットは前述の図９と同様であるが、接続基地局ＩＤ６０１に移動局１１０が接続した基地局のＩＤ、ここでは報知情報に含まれる報知送信基地局ＩＤ５０１の情報から基地局１０４を示すＩＤが設定される。
【００５５】
基地局１０４において、ＬＣＸ１０７およびＬＣＸ通信部３３経由で位置登録要求を受信した制御部３１は、位置登録要求に含まれる自局に接続した移動局１１０、すなわち、自局と無線通信可能な移動局１１０の情報を記憶部３２に記憶させる。なお、制御部３１は、この時点ではまだ移動局１１０は基地局１０３と通信を行っており、自局へのハンドオーバは実行されていないため、転送装置１０１への接続通知の送信および移動局１１０への位置登録応答の送信は行わない。
【００５６】
サーバ１００は、前述のステップＳ１０６の処理と同様、ユーザデータに宛先をユーザ端末１１２とする宛先情報を含むヘッダを付与して、ユーザデータを転送装置１０１へ送信する（ステップＳ１１５）。
【００５７】
転送装置１０１の制御部１１は、前述のステップＳ１０７，Ｓ１０８の処理と同様、サーバ１００から受信したユーザデータを基地局１０３，１０４へバイキャストで送信する（ステップＳ１１６，Ｓ１１７）。
【００５８】
基地局１０３の制御部３１は、前述のステップＳ１０９の処理と同様、転送装置１０１から受信したユーザデータを自局の通信エリア、すなわち移動局１１０へ送信する（ステップＳ１１８）。
【００５９】
基地局１０４の制御部３１は、ネットワーク１０２およびネットワーク通信部３４経由で転送装置１０１からユーザデータを受信すると、ユーザデータに付与されたヘッダの宛先情報からユーザデータの宛先はユーザ端末１１２と確認する。基地局１０４の制御部３１は、ユーザデータの宛先のユーザ端末１１２に接続している移動局１１０が、自局に接続している移動局か否かを確認する。ここで、基地局１０４の制御部３１は、記憶部３２が記憶している図３に示すユーザ端末と移動局の接続関係の情報を参照し、ユーザ端末１１２は移動局１１０と接続していることを確認する。また、基地局１０４の制御部３１は、ステップＳ１１３〜Ｓ１１４の処理において、自局に移動局１１０が接続している情報を記憶部３２に記憶させている。基地局１０４の制御部３１は、ユーザデータの宛先のユーザ端末１１２に接続している移動局１１０が自局に接続している移動局１１０であると確認すると、ユーザデータをＬＣＸ通信部３３およびＬＣＸ１０７経由で自局の通信エリア、すなわち移動局１１０へ送信する（ステップＳ１１９）。
【００６０】
基地局１０３，１０４からユーザデータを受信した移動局１１０は、受信したいずれかのユーザデータを、転送装置１１１経由でユーザ端末１１２へ送信する（ステップＳ１２０）。
【００６１】
その後、移動局１１０は、さらに基地局１０４の方向へ移動して基地局１０３からの報知情報を受信できなくなると（ステップＳ１２１）、通信を行う基地局を基地局１０３から基地局１０４へ切り替えるハンドオーバを実行する（ステップＳ１２２）。なお、ハンドオーバを実行するタイミングは、移動局１１０が基地局１０３からの報知情報を受信できなくなった場合に限定するものではない。移動局１１０は、例えば、基地局１０３からの報知情報の受信品質を測定し、受信品質が規定された受信品質閾値以下になった場合に、ハンドオーバを実行してもよい。
【００６２】
基地局１０４の制御部３１は、移動局１１０のハンドオーバによって移動局１１０と自局との間で通信経路を確立すると、ネットワーク通信部３４およびネットワーク１０２経由で、転送装置１０１に対して、移動局１１０が自局に接続されたことを通知するための接続通知を送信する（ステップＳ１２３）。接続通知のメッセージフォーマットは前述の図９と同様であるが、接続基地局ＩＤ６０１には移動局１１０が接続した基地局のＩＤ、ここでは報知情報に含まれる報知送信基地局ＩＤ５０１の情報から基地局１０４を示すＩＤが設定される。
【００６３】
転送装置１０１において、ネットワーク１０２およびネットワーク通信部１４経由で接続通知を受信した制御部１１は、移動局１１０が基地局１０４に接続したことを把握する。制御部１１は、図５に示す接続基地局と移動局との関係の情報として、接続基地局１０３および移動局１１０の情報を、接続基地局１０４および移動局１１０の情報に更新して記憶部１２に記憶させる。
【００６４】
基地局１０４の制御部３１は、転送装置１０１へ接続通知送信後、位置登録要求に対する位置登録の結果を示す位置登録応答を生成し、生成した位置登録応答をＬＣＸ通信部３３およびＬＣＸ１０６経由で移動局１１０へ送信する（ステップＳ１２４）。位置登録応答のメッセージフォーマットは前述の図１０と同様であるが、接続基地局ＩＤ７０２には、位置登録を受け付けた基地局のＩＤ、ここでは基地局１０４を示すＩＤが設定される。
【００６５】
基地局１０３の制御部３１は、ハンドオーバの実行後、自局に接続していた、すなわち自局と無線通信可能な移動局１１０の情報を記憶部３２から削除する。基地局１０３の制御部３１において移動局１１０がハンドオーバを実行したことを把握する方法については、例えば、ネットワーク１０２経由で基地局１０４から通知をうけてもよいし、各基地局間のハンドオーバを管理する図示しないハンドオーバ管理装置などの装置から通知を受けてもよいし、これらに限定されるものではない。
【００６６】
なお、移動局１１０では、ＭＩＭＯ（Multiple  Input  and  Multiple  Output）などの手段により、基地局１０３からのユーザデータおよび基地局１０４からのユーザデータの両方を受信できるようにしてもよい。
【００６７】
また、図７では、転送装置１０１がユーザデータのバイキャスト送信を行っていたが、例えば、ネットワーク１０２内にルータを設置し、ルータが転送装置１０１の機能を備えてユーザデータのバイキャスト送信を行ってもよい。
【００６８】
図７のシーケンス図に示す基地局１０３，１０４の動作を、フローチャートを用いて説明する。図１３は、実施の形態１にかかる転送装置１０１のユーザデータの送信処理を示すフローチャートである。基地局１０３，１０４の制御部３１は、転送装置１０１からユーザデータを受信すると（ステップＳ１１）、ユーザデータに付与されたヘッダの宛先情報からユーザデータの宛先を確認する（ステップＳ１２）。制御部３１は、ユーザデータの宛先のユーザ端末に接続している移動局が自局に接続している移動局の場合（ステップＳ１３：Ｙｅｓ）、ユーザデータをＬＣＸ通信部３３およびＬＣＸ１０６経由で自局の通信エリアへ送信する（ステップＳ１４）。制御部３１は、ユーザデータの宛先のユーザ端末に接続している移動局が自局に接続していない場合（ステップＳ１３：Ｎｏ）、ユーザデータを破棄する（ステップＳ１５）。
【００６９】
つづいて、基地局１０３〜１０５のハードウェア構成について説明する。前述のように、ＬＣＸ通信部３３はＬＣＸ通信用のインタフェースカードおよびドライバ回路によって構成される。また、ネットワーク通信部３４はＩＰネットワークなどのネットワークによる通信用のインタフェースカードおよびドライバ回路によって構成される。また、記憶部３２はメモリによって構成される。図１４は、実施の形態１にかかる基地局１０３〜１０５の制御部３１を実現する処理回路９０の構成例を示す図である。処理回路９０は、メモリ９２に格納されたプログラムを実行するプロセッサ９１と、プロセッサ９１が実行するプログラムなどの情報を記憶するメモリ９２と、他の構成からデータなどが入力される入力インタフェース回路９３と、他の構成へデータなどを出力する出力インタフェース回路９４を備え、プロセッサ９１、メモリ９２、入力インタフェース回路９３、出力インタフェース回路９４がシステムバス９５で接続されている。
【００７０】
基地局１０３〜１０５の制御部３１の機能は、処理回路９０により実現される。すなわち、基地局１０３〜１０５は、受信したユーザデータの宛先を確認し、ユーザデータの宛先のユーザ端末に接続している移動局が自局に接続している移動局の場合はユーザデータを送信し、ユーザデータの宛先のユーザ端末に接続している移動局が自局に接続していない場合はユーザデータを破棄するための処理回路９０を備える。処理回路９０において、メモリ９２に格納されるプログラムを実行するのはプロセッサ９１ではなく、ＣＰＵ（Central  Processing  Unit）、中央処理装置、処理装置、演算装置、マイクロプロセッサ、マイクロコンピュータ、またはＤＳＰ（Digital  Signal  Processor）などであってもよい。
【００７１】
制御部３１の機能は、ソフトウェア、ファームウェア、またはソフトウェアとファームウェアとの組み合わせにより実現される。ソフトウェアまたはファームウェアはプログラムとして記述され、メモリ９２に格納される。処理回路９０では、プロセッサ９１がメモリ９２に記憶されたプログラムを読み出して実行することにより、制御部３１の機能を実現する。すなわち、基地局１０３〜１０５は、処理回路９０により実行されるときに、受信したユーザデータの宛先を確認するステップ、ユーザデータの宛先のユーザ端末に接続している移動局が自局に接続している移動局の場合はユーザデータを送信するステップ、ユーザデータの宛先のユーザ端末に接続している移動局が自局に接続していない場合はユーザデータを破棄するステップが結果的に実行されることになるプログラムを格納するためのメモリ９２を備える。また、これらのプログラムは、制御部３１の手順や方法をコンピュータに実行させるものであるともいえる。ここで、メモリ９２とは、例えば、ＲＡＭ（Random  Access  Memory）、ＲＯＭ（Read  Only  Memory）、フラッシュメモリ、ＥＰＲＯＭ（Erasable  Programmable  ROM）、ＥＥＰＲＯＭ（Electrically  Erasable  Programmable  ROM）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。
【００７２】
基地局１０３〜１０５の制御部３１の構成について説明したが、転送装置１０１の制御部１１についても、図１４に示す処理回路９０により実現される。
【００７３】
以上説明したように、本実施の形態によれば、基地局は、移動局の位置登録の情報を用いて、自局の通信エリアへのユーザデータの送信可否を判断することとした。基地局は、転送装置からユーザデータを受信した場合、ユーザデータの宛先のユーザ端末に接続する移動局が、自局の通信エリアに存在して無線通信可能な移動局のときは、ユーザデータを自局の通信エリアへ送信する。基地局は、転送装置からユーザデータを受信した場合、ユーザデータの宛先のユーザ端末に接続する移動局が、自局の通信エリアに存在せず無線通信不可の移動局のときは、ユーザデータを送信せずに破棄する。このように、基地局は、転送装置からユーザデータを受信しても、ユーザデータの宛先のユーザ端末に接続する移動局が自局の通信エリアに存在しないときはユーザデータを送信しない。これにより、基地局では、移動局が自局の通信エリアに移動してくる前において、無線帯域の圧迫を軽減する効果を得ることができる。
【００７４】
また、転送装置は移動局が次に接続する移動先の基地局へユーザデータを送信していることから、移動局からの位置登録の手順が移動先の基地局まで行われていれば、移動先の基地局は、ユーザデータを移動局へ送信することができる。これにより、基地局では、移動中の移動局に対して、ユーザデータのロスを軽減することが可能となる。
【００７５】
実施の形態２．
実施の形態１では、基地局は、移動局の接続情報によってユーザデータの送信可否を判断していた。実施の形態２では、基地局は、音声のユーザデータであるか否かによって送信可否を判断する。なお、移動通信システム１および各装置の構成は実施の形態１と同様である。
【００７６】
実施の形態２において、基地局１０３〜１０５の制御部３１は、受信したユーザデータが音声のユーザデータか音声以外のユーザデータかどうかの判定を、ＲＴＰ（Real  time  Transport  Protocol）ヘッダの有無によって行う。図１５は、実施の形態２にかかるサーバ１００が送信するユーザデータの構成例を示す図である。サーバ１００が送信するユーザデータは、ＩＰヘッダ８００、ＵＤＰヘッダ８０１、ＲＴＰヘッダ８０３、およびアプリケーションデータ８０２を含む。図１１に示すユーザデータにＲＴＰヘッダ８０３を追加したものである。基地局１０３〜１０５の制御部３１は、受信したユーザデータにＲＴＰヘッダが含まれるＩＰデータを音声のユーザデータと判定する。なお、ＩＰのバージョンはＩＰｖ４（Internet  Protocol  version  4）でもＩＰｖ６でもよい。
【００７７】
図１６は、実施の形態２にかかるサーバ１００からユーザ端末１１２へ音声のユーザデータを送信する場合の移動通信システム１の各装置の動作を示すシーケンス図である。ステップＳ２０１〜Ｓ２０５までの処理は、実施の形態１の図７に示すシーケンス図のステップＳ１０１〜Ｓ１０５の処理と同様である。
【００７８】
サーバ１００は、ユーザデータに宛先をユーザ端末１１２とする宛先情報を含むヘッダを付与して、ユーザデータを転送装置１０１へ送信する（ステップＳ２０６）。ここでは、サーバ１００は、音声のユーザデータを送信したため、ユーザデータにＲＴＰヘッダを付与しているものとする。
【００７９】
転送装置１０１の制御部１１は、実施の形態１の図７に示すシーケンス図のステップＳ１０７，Ｓ１０８の処理と同様、サーバ１００から受信したユーザデータを基地局１０３，１０４へバイキャストで送信する（ステップＳ２０７，Ｓ２０８）。
【００８０】
基地局１０３の制御部３１は、実施の形態１の図７に示すシーケンス図のステップＳ１０９の処理と同様、転送装置１０１から受信したユーザデータを移動局１１０へ送信する（ステップＳ２０９）。
【００８１】
基地局１０４の制御部３１は、ネットワーク１０２およびネットワーク通信部３４経由で転送装置１０１からユーザデータを受信すると、ユーザデータに付与されたヘッダの宛先情報から宛先はユーザ端末１１２と確認する。基地局１０４の制御部３１は、ユーザデータの宛先のユーザ端末１１２に接続している移動局１１０が、自局に接続している移動局か否かを確認する。ここで、基地局１０４の制御部３１は、自局に移動局が接続している情報を記憶部３２に記憶させていない。基地局１０４の制御部３１は、ユーザデータの宛先のユーザ端末１１２に接続している移動局１１０は自局に接続していないと確認すると、つぎに、受信したユーザデータが音声のユーザデータか否かを確認する。
【００８２】
基地局１０４の制御部３１は、受信したユーザデータにＲＴＰヘッダが付与されていたことから、受信したユーザデータは音声のユーザデータと判定する。基地局１０４の制御部３１は、受信したユーザデータが音声のユーザデータであると判定すると、ユーザデータをＬＣＸ通信部３３およびＬＣＸ１０７経由で、自局の通信エリア、すなわち移動局１１０へ送信する（ステップＳ２１０）。なお、基地局１０４の制御部３１は、受信したユーザデータが音声のユーザデータではないと判定した場合、すなわち受信したユーザデータにＲＴＰヘッダが付与されていなかった場合、ユーザデータを送信せずに破棄する。このように、基地局１０４の制御部３１は、ユーザデータの宛先のユーザ端末１１２が接続している移動局１１０が自局と無線通信不可の移動局の場合、受信したユーザデータの種別を確認し、受信したデータが規定された種別のデータ、上記の例では音声のユーザデータのときは、受信したユーザデータを自局の通信エリアへ送信する。
【００８３】
基地局１０３，１０４からユーザデータを受信した移動局１１０は、受信したいずれかのユーザデータを、転送装置１１１経由でユーザ端末１１２へ送信する（ステップＳ２１１）。
【００８４】
図１６のシーケンス図に示す基地局１０３，１０４の動作を、フローチャートを用いて説明する。図１７は、実施の形態２にかかる転送装置１０１のユーザデータの送信処理を示すフローチャートである。実施の形態１に示す図１３のフローチャートと異なる部分は、制御部３１は、ユーザデータの宛先のユーザ端末に接続している移動局が自局に接続していない場合（ステップＳ１３：Ｎｏ）、さらに、受信したユーザデータが音声のユーザデータか否かを確認する（ステップＳ２１）。制御部３１は、受信したユーザデータが音声のユーザデータの場合（ステップＳ２１：Ｙｅｓ）、ユーザデータをＬＣＸ通信部３３およびＬＣＸ１０６経由で自局の通信エリアへ送信する（ステップＳ１４）。制御部３１は、受信したユーザデータが音声のユーザデータではない場合（ステップＳ２１：Ｎｏ）、ユーザデータを破棄する（ステップＳ１５）。
【００８５】
以上説明したように、本実施の形態によれば、基地局は、自局の通信エリアにユーザデータの宛先のユーザ端末に接続する移動局が存在しない場合でも、ユーザデータを全て送信しないのではなく、ＲＴＰヘッダの有無でユーザデータが音声のユーザデータか否かを判断し、遅延およびロスに対する要求が厳しい音声のユーザデータについては自局の通信エリアへ送信することとした。これにより、基地局では、移動中の移動局に対して、遅延およびロスに対する要求が厳しい音声のユーザデータのロスを軽減することが可能となる。
【００８６】
実施の形態３．
実施の形態２では、基地局は、音声のユーザデータを受信した場合、移動局が接続していなくてもユーザデータを送信していた。実施の形態３では、さらにＩＰヘッダの情報に基づいてユーザデータの送信可否を判断する。なお、移動通信システム１および各装置の構成は実施の形態１と同様である。
【００８７】
実施の形態３において、基地局１０３〜１０５の制御部３１は、例えば、受信したユーザデータのＩＰヘッダ８００のＴｒａｆｆｉｃ  Ｃｌａｓｓの情報に基づいてユーザデータの送信可否を判断する。図１８は、実施の形態３にかかるサーバ１００が送信するユーザデータに付与されるＩＰｖ６のＩＰヘッダ８００のフォーマットの例を示す図である。ＩＰｖ６のＩＰヘッダ８００は、Ｖｅｒｓｉｏｎ９００、Ｔｒａｆｆｉｃ  Ｃｌａｓｓ９０１、Ｆｌｏｗ  Ｌａｂｅｌ９０２、Ｐａｙｌｏａｄ  Ｌｅｎｇｔｈ９０３、Ｎｅｘｔ  Ｈｅａｄｅｒ９０４、Ｈｏｐ  Ｌｉｍｉｔ９０５、Ｓｏｕｒｃｅ  Ａｄｄｒｅｓｓ９０６、Ｄｅｓｔｉｎａｔｉｏｎ  Ａｄｄｒｅｓｓ９０７から構成される。図１９は、実施の形態３にかかるユーザデータに付与されるＩＰｖ６のＩＰヘッダ８００のＴｒａｆｆｉｃ  Ｃｌａｓｓ９０１の詳細なフォーマットの例を示す図である。Ｔｒａｆｆｉｃ  Ｃｌａｓｓ９０１には、ＤＳＣＰ（Differentiated  Services  Code  Point）９０８、ＥＣＮ（Explicit  Congestion  Notification）９０９から構成される。
【００８８】
サーバ１００は、送信する音声のユーザデータのうち、最優先すべき音声のユーザデータには、ＩＰヘッダ８００内のＴｒａｆｆｉｃ  Ｃｌａｓｓ９０１のＤＳＣＰ９０８に、例えば、１０進数で４６の値を設定する。
【００８９】
実施の形態３における各装置の動作は、実施の形態２で示した図１６のシーケンス図と同様である。実施の形態２と実施の形態３で異なる部分は、ステップＳ２１０の処理のみである。
【００９０】
基地局１０４の制御部３１は、ネットワーク１０２およびネットワーク通信部３４経由で転送装置１０１からユーザデータを受信すると、ユーザデータに付与されたヘッダの宛先情報から宛先はユーザ端末１１２と確認する。基地局１０４の制御部３１は、ユーザデータの宛先のユーザ端末１１２に接続している移動局１１０が、自局に接続している移動局か否かを確認する。ここで、基地局１０４の制御部３１は、自局に移動局が接続している情報を記憶部３２に記憶させていない。基地局１０４の制御部３１は、ユーザデータの宛先のユーザ端末１１２に接続している移動局１１０は自局に接続していないと確認すると、つぎに、受信したユーザデータが音声のユーザデータか否かを確認する。
【００９１】
基地局１０４の制御部３１は、受信したユーザデータにＲＴＰヘッダが付与されていたことから、受信したユーザデータは音声のユーザデータと判定する。基地局１０４の制御部３１は、受信したユーザデータが音声のユーザデータであると判定すると、つぎに、ユーザデータのＩＰヘッダ８００内のＴｒａｆｆｉｃ  Ｃｌａｓｓ９０１のＤＳＣＰ９０８を確認する。
【００９２】
基地局１０４の制御部３１は、ユーザデータのＩＰヘッダ８００内のＴｒａｆｆｉｃ  Ｃｌａｓｓ９０１のＤＳＣＰ９０８の値が４６の場合、受信した音声のユーザデータは最優先すべき音声のユーザデータとして、ユーザデータをＬＣＸ通信部３３およびＬＣＸ１０７経由で移動局１１０へ送信する（ステップＳ２１０）。なお、基地局１０４の制御部３１は、ユーザデータのＩＰヘッダ８００内のＴｒａｆｆｉｃ  Ｃｌａｓｓ９０１のＤＳＣＰ９０８の値が４６以外の値の場合、ユーザデータを送信せずに破棄する。このように、基地局１０４の制御部３１は、ユーザデータの宛先のユーザ端末１１２が接続している移動局１１０が自局と無線通信不可の移動局の場合、受信したユーザデータの種別を確認し、受信したデータが規定された種別のデータ、上記の例では音声のユーザデータのときは、さらに、受信したデータのヘッダを確認する。基地局１０４の制御部３１は、ヘッダにおいて規定された領域、上記の例ではＩＰヘッダ８００内のＴｒａｆｆｉｃ  Ｃｌａｓｓ９０１のＤＳＣＰ９０８の値が規定された値、上記の例では４６のときは、受信したデータを自局の通信エリアへ送信する。
【００９３】
なお、実施の形態３では、基地局１０３〜１０５の制御部３１は、ＤＳＣＰ９０８の値によってユーザデータの送信可否を判断したが、一例であり、ＩＰヘッダ８００内の他のパラメータ、ＵＤＰヘッダ８０１内のパラメータ、またはＲＴＰヘッダ８０３内のパラメータなどを用いて判断してもよい。すなわち、基地局１０３〜１０５の制御部３１は、ユーザデータに付与されたヘッダ内のある領域の値が規定された値か否かによって、ユーザデータの送信可否を判断する。
【００９４】
実施の形態３における基地局１０３，１０４の動作を、フローチャートを用いて説明する。図２０は、実施の形態３にかかる転送装置１０１のユーザデータの送信処理を示すフローチャートである。実施の形態２に示す図１７のフローチャートと異なる部分は、制御部３１は、受信したユーザデータが音声のユーザデータの場合（ステップＳ２１：Ｙｅｓ）、さらに、ユーザデータに付与されたヘッダ内のある領域の値が規定された値か否かを確認する（ステップＳ３１）。制御部３１は、ユーザデータに付与されたヘッダ内のパラメータ、すなわちある領域の値が規定された値の場合（ステップＳ３１：Ｙｅｓ）、ユーザデータをＬＣＸ通信部３３およびＬＣＸ１０６経由で自局の通信エリアへ送信する（ステップＳ１４）。制御部３１は、ユーザデータに付与されたヘッダ内のパラメータ、すなわちある領域の値が規定された値ではない場合（ステップＳ３１：Ｎｏ）、ユーザデータを破棄する（ステップＳ１５）。
【００９５】
以上説明したように、本実施の形態によれば、基地局は、音声のユーザデータを受信した場合、さらに、ユーザデータのヘッダを確認し、ＩＰヘッダ内のＤＳＣＰの値に基づいてユーザデータの送信可否を判断することとした。これにより、基地局では、移動中の移動局に対して、特定の音声サービスについてのみ、音声のユーザデータのロスを軽減することが可能となる。
【００９６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００９７】
１  移動通信システム、１１，３１  制御部、１２，３２  記憶部、１３  光通信部、１４，３４  ネットワーク通信部、３３  ＬＣＸ通信部、１００  サーバ、１０１，１１１  転送装置、１０２  ネットワーク、１０３，１０４，１０５  基地局、１０６，１０７，１０８  ＬＣＸ、１０９  列車、１１０  移動局、１１２  ユーザ端末。
【要約】
端末装置と接続する移動局と、移動局と無線通信を行う複数の基地局と、端末装置宛のデータを基地局へ送信する転送装置とを備える移動通信システムにおける基地局であって、自局と無線通信可能な移動局の情報、および端末装置と移動局との接続関係の情報を記憶する記憶部３２と、転送装置から受信したデータの宛先の端末装置を確認し、記憶部３２で記憶されている情報を参照して、宛先の端末装置が接続している移動局が自局と無線通信可能な移動局の場合、受信したデータを自局の通信エリアへ送信する制御部３１と、を備える。【図１】
0005972496.tif 000002
【図２】
0005972496.tif 000003
【図３】
0005972496.tif 000004
【図４】
0005972496.tif 000005
【図５】
0005972496.tif 000006
【図６】
0005972496.tif 000007
【図７】
0005972496.tif 000008
【図８】
0005972496.tif 000009
【図９】
0005972496.tif 000010
【図１０】
0005972496.tif 000011
【図１１】
0005972496.tif 000012
【図１２】
0005972496.tif 000013
【図１３】
0005972496.tif 000014
【図１４】
0005972496.tif 000015
【図１５】
0005972496.tif 000016
【図１６】
0005972496.tif 000017
【図１７】
0005972496.tif 000018
【図１８】
0005972496.tif 000019
【図１９】
0005972496.tif 000020
【図２０】
0005972496.tif 000021